(57)【要約】【目的】光源の点灯／消灯による読取データへの影響を軽減し、読取画像が劣化することを軽減することができる画像読取装置、および画像形成装置を提供する。【構成】複数色の光源を異なるタイミングで点灯して原稿画像を読み取る読取手段と、前記複数色の光源を前記異なるタイミングで点灯して前記読取手段に基準部材を読み取らせ、前記複数色の光源それぞれに対する前記読取手段の読取結果を取得する取得手段と、前記取得手段が取得した前記基準部材の読取結果に基づいて原稿画像を読取った前記読取手段の出力を補正する補正手段と、前記読取手段が前記基準部材を読み取る際に、前記読取手段が原稿画像を読み取る際と同じ点灯順序で前記複数色の光源を点灯させる制御手段と、を備えた。【選択図】        図５
2016092655.tif 000002
【特許請求の範囲】
【請求項１】
複数色の光源を異なるタイミングで点灯して原稿画像を読み取る読取手段と、
前記複数色の光源を前記異なるタイミングで点灯して前記読取手段に基準部材を読み取らせ、前記複数色の光源それぞれに対する前記読取手段の読取結果を取得する取得手段と、
前記取得手段が取得した前記基準部材の読取結果に基づいて原稿画像を読取った前記読取手段の出力を補正する補正手段と、
前記読取手段が前記基準部材を読み取る際に、前記読取手段が原稿画像を読み取る際と同じ点灯順序で前記複数色の光源を点灯させる制御手段と、
を備えたことを特徴とする画像読取装置。
【請求項２】
前記複数色の光源における第１の色の光源を点灯させて前記原稿画像を読み取った読取データを、前記複数色の光源における第２の色の光源を点灯させて前記原稿画像を読み取っている際に転送する転送手段をさらに備えた
ことを特徴とする請求項１に記載の画像読取装置。
【請求項３】
前記複数色の光源の輝度値を１色ずつ所定数加算平均化する加算平均処理手段と、
前記加算平均処理部にて加算平均化された輝度値を前記複数色の各色毎に記憶する記憶手段と、を備え、
前記補正手段は、前記記憶手段に記憶された輝度値を用いて前記原稿画像を読み取った前記読取手段の出力を補正する
ことを特徴とする請求項１または２に記載の画像読取装置。
【請求項４】
請求項１乃至請求項３のいずれか１項に記載の画像読取装置と、
前記画像読取装置が読み取った原稿画像に基づいてシート上に画像を形成する画像形成手段と、
を備えたことを特徴とする画像形成装置。
【発明の詳細な説明】
【技術分野】
【０００１】
本発明は、原稿画像を光学的に読み取る画像読取装置と、この画像読取装置を装置本体に備えた画像形成装置とに関する。
【背景技術】
【０００２】
従来、シートに画像を形成するプリンタや複写機等の画像形成装置には、装置本体に画像読取装置を備え、その画像読取装置が読み取った原稿画像をシートに複写するものがある。
【０００３】
この画像読取装置は、読取ユニットが原稿台ガラスの下方を移動しながら、原稿台ガラス上に載置された原稿に光を照射し、原稿からの反射光を受光することで原稿の画像情報を読み取る。また、読取ユニットを流し読みガラスの下方の所定の読取位置に停止させ、読取位置に搬送される原稿に光を照射し、原稿からの反射光を受光することで原稿の画像情報を読み取る。
【０００４】
このような読み取りユニットを備えた画像読取装置には、シェーディング補正を行うために白色基準板が備えられている。シェーディング補正は、一般的に、照明光源から白色基準板へ光を照射し、その反射光を受光することで光学系の不均一性およびイメージセンサの画素毎の出力不均一性の補正を行うものである。このシェーディング補正を行うことで、画素毎の読み取りムラ（斑）を低減させることができる。
ここで、読取ユニットには、照明光源として複数色のＬＥＤ（例えばＲ，Ｇ，Ｂの３色）を順次に点灯／消灯させて原稿の画像情報を読み取るものがある。
光学系に複数色のＬＥＤを用いる場合は、１色につきｎ（ｎは２以上の所定数）ライン分のシェーディングデータを取り込み、ｎライン分のシェーディングデータを加算平均化することで、１色分のシェーディングデータを作成する方法が一般的である。
【０００５】
しかしながら、線順次の読取方式を用いた画像読取装置では１ライン毎にＲ，Ｇ，Ｂの順番でＬＥＤを点灯させるため、一度の走査でＲ，Ｇ，Ｂ各色のシェーディングデータを取り込むためには、シェーディング補正処理用の加算メモリが１色につき１つ必要になる。つまり、合計３つのシェーディング補正処理用加算メモリが必要となり、コストが増大してしまう。
【０００６】
そこで、特許文献１には、まずＲ成分のシェーディングデータをｎライン分取り込みＲ成分のシェーディングデータを作成した後、Ｇ成分のシェーディングデータをｎライン分取り込みＧ成分のシェーディングデータを作成する。その後、Ｂ成分のシェーディングデータも同様に作成するという提案がされている。このようにすることで、シェーディング補正処理用加算メモリを増やすことなく、各色のシェーディングデータを作成することが可能となる。
【先行技術文献】
【特許文献】
【０００７】
【特許文献１】特開平１１−３４１２３７号公報
【発明の概要】
【発明が解決しようとする課題】
【０００８】
ここで、線順次の読取方式を用いる画像読取装置であって、例えばＲ，Ｇ，Ｂの順番で１ライン毎にＬＥＤを点灯／消灯させる場合、図８に示すように、原稿画像を読み取る場合、１色のＬＥＤを点灯させて読取データを取り込む際に１ライン前に取り込んだ読取データを記憶部へ転送している。
例えば、ＧのＬＥＤを点灯させてＧの読取データを取り込んでいる際に１ライン前に取り込んだＲの読取データを記憶部へ転送している。同様に、ＢのＬＥＤを点灯させてＢの読取データを取り込んでいる際に１ライン前に取り込んだＧの読取データを記憶部へ転送している。
【０００９】
特許文献１の画像読取装置では、シェーディングデータを作成する際に１色ずつデータを作成しているため、ＲのＬＥＤを点灯させてＲの読取データを取り込んでいる際に１ライン前のＲの読取データを記憶部へ転送している。同様に、ＧのＬＥＤを点灯させてＧの読取データを取り込んでいる際にＧの読取データを記憶部へ転送している。つまり、実際の原稿画像を読み取っている場合とシェーディングデータを作成している場合とで、読取データを記憶部へ転送している際に点灯しているＬＥＤの色が異なっている。
【００１０】
ここで、ＬＥＤは色毎に光量のバラつきやセンサの感度が異なるため、点灯時間が最適となるように色毎に発光量の調整がされている。そのため、点灯／消灯のタイミングが色毎に異なる場合がある。
また、ＬＥＤの点灯／消灯のタイミングによって、記憶部へ転送されている読取データの信号に振れが生じる場合がある。このとき、信号に振れが生じることで、読み取った画像データにムラが生じたり、画像にスジとして現れてしまう。そのため、シェーディングデータを作成する際には、ＬＥＤの点灯／消灯のタイミングによる信号の振れが考慮されたシェーディングデータを作成する必要がある。そうすることで、転送する読取データに信号の振れが発生した場合においても、シェーディング補正時にその信号の振れが発生した読取データを補正することができる。
【００１１】
しかしながら、特許文献１の画像読取装置では、シェーディングデータを作成する際に各色の読取データを取り込んでいる時と原稿画像を読み取る際に各色の読取データを取り込んでいる時とで点灯しているＬＥＤの色が異なっている。そのため、信号の振れが読取データに影響するタイミングが異なってしまい、ＬＥＤの点灯／消灯タイミングによる信号の振れが考慮されたシェーディングデータを作成することができない。ＬＥＤの点灯／消灯タイミングによる信号の振れが考慮されたシェーディングデータを作成できないため、読み取った画像データにムラやスジが生じ、読取画像が劣化してしまう場合があった。
【００１２】
本発明の目的は、上記の点に鑑み、光源の点灯／消灯による読取データへの影響を軽減し、読取画像が劣化することを軽減することができる画像読取装置、および画像形成装置を提供することにある。
【課題を解決するための手段】
【００１３】
複数色の光源を異なるタイミングで点灯して原稿画像を読み取る読取手段と、前記複数色の光源を前記異なるタイミングで点灯して前記読取手段に基準部材を読み取らせ、前記複数色の光源それぞれに対する前記読取手段の読取結果を取得する取得手段と、前記取得手段が取得した前記基準部材の読取結果に基づいて原稿画像を読取った前記読取手段の出力を補正する補正手段と、前記読取手段が前記基準部材を読み取る際に、前記読取手段が原稿画像を読み取る際と同じ点灯順序で前記複数色の光源を点灯させる制御手段と、を備。
【発明の効果】
【００１４】
本発明によれば、読取画像が劣化することを軽減することができる。
【図面の簡単な説明】
【００１５】
【図１】画像読取装置の概略断面図
【図２】画像読取部の断面図
【図３】画像読取部１０の制御構成を示すブロック図
【図４】画像処理部３０８の詳細な構成を示すブロック図
【図５】シェーディング補正値取得時のＬＥＤの点灯／消灯タイミングを示すタイミングチャート
【図６】ＣＰＵ３００の制御動作を示すフローチャート
【図７】ＣＰＵ３００の画像処理部３０７に対する詳細な動作を示すフローチャート
【図８】線順次の読取方式を用いて原稿画像を読み取る時のＬＥＤの点灯／消灯タイミングを示すタイミングチャート
【発明を実施するための形態】
【００１６】
以下にて、本発明を実施するための最良の形態について、図面を参照して説明する。本実施形態においては、画像読取装置として、例えば複写機等の画像形成装置に用いられる画像読取装置を例にするが、これに限ったものではない。尚、以下の実施形態は特許請求の範囲に係る本発明を限定するものでなく、また本実施形態で説明されている特徴の組み合わせの全てが本発明の解決手段に必須のものとは限らない。
【００１７】
以下、本実施形態における画像読取装置を図に基づいて説明をする。
図１は、本実施形態における画像読取装置１００の断面図である。
【００１８】
画像読取装置１００は、原稿Ｄの画像を読み取る画像読取部１０と、画像読取部１０へ原稿Ｄを給送する原稿給送部２０とを主要に構成されている。
【００１９】
画像読取部１０は、原稿を固定して読み取る固定読みの際にユーザによって原稿が載置される原稿台ガラス３０と、原稿Ｄを搬送しながら読取る流し読みの際に原稿給送部２０によって給送された原稿Ｄが通過する流し読みガラス４０と、原稿台ガラス３０及び流し読みガラス４０の下方を往復移動可能に設けられ、原稿の画像を読み取る読取走査ユニット５０等を有している。
【００２０】
画像読取部１０の上方には、原稿を供給して搬送するための供給手段としての原稿給送部２０が設けられている。原稿給送部２０は、ヒンジなどの開閉支持部材によって画像読取部１０に対して図１の奥側を中心に回動自在に取り付けられている。このため、原稿給送部２０は、原稿台ガラス３０と流し読みガラス４０との上面を開閉できるようになっている。
【００２１】
固定読みの場合、ユーザによって原稿台ガラス３０上に載置された原稿は、原稿給送部２０の下部に配置される原稿圧板により原稿台ガラス３０上に押し付け固定される。そして、原稿を固定した状態で原稿台ガラス３０の下方を主走査方向に延びた読取手段としての読取走査ユニット５０が移動しながら原稿台ガラス３０上の原稿の画像を読み取る。このとき、読取走査ユニット５０の移動する方向を副走査方向という。
【００２２】
流し読みの場合、読取走査ユニット５０は、流し読みガラス４０の下方の所定の読取位置に移動し、停止する。そして、原稿給送部２０は、原稿載置部２１に載置された原稿Ｄを給送ローラ２２で取り込み、分離ローラ２３ａと分離板２３ｂとからなる分離部２３に給送する。ここで、分離部２３は、給送ローラ２２にて複数枚の原稿Ｄが給送された場合に、原稿Ｄを１枚に分離しながら搬送する。次に、レジセンサＳ１で原稿Ｄの先端を検知すると、レジストローラ対２４にて、分離部２３から搬送されてきた原稿Ｄの先端を受け止めて原稿Ｄの斜行を矯正する。ここで、レジセンサＳ１では原稿Ｄの斜行矯正のタイミングを計る他に、原稿Ｄの後端を検知したことに応じて給送ローラ２２による給送タイミングを計り、検知時間に応じて原稿Ｄのサイズ判定を行うこと等ができる。
【００２３】
レジストローラ対２４にて斜行が矯正された原稿Ｄは、リードセンサＳ２で検知される読み取りタイミングに合わせて読取走査ユニット５０が画像を読み取る流し読みガラス４０上の読取位置へ原稿Ｄを給送するように、搬送路ＰＳ１へ原稿Ｄを搬送する。このとき、原稿Ｄは、所定の回転数で回転するプラテンローラ２５によって流し読みガラス４０の上面から浮き上がり量を規制された状態で搬送されて、読取走査ユニット５０によって画像を読み取られる。
【００２４】
また、プラテンローラ２５の原稿搬送方向上流と原稿搬送方向下流にはそれぞれリードローラ対２６ａ、２６ｂが設けられており、原稿Ｄは読取走査ユニット５０によって画像が読み取られながらリードローラ対２６ａ、２６ｂによって搬送されている。
画像が読み取られた原稿Ｄは、リードローラ対２６ｂによって反転排出ローラ対２７へ搬送され、反転排出ローラ対２７によって原稿排出部２８へ排出される。
ここで、反転排出ローラ対２７の搬送方向上流側には排出センサＳ３が設けられており、排出時における滞留ジャムや遅延ジャムなどを検知することが可能となっている。
同様に、レジセンサＳ１およびリードセンサＳ２についても、原稿搬送時の滞留ジャムや遅延ジャムなどを検知可能となっている。
【００２５】
原稿Ｄの両面を読み取る場合は、１面目を読み取った後、原稿排出中の反転排出ローラ２７を停止し、その後逆回転させて原稿Ｄを機内へ引き戻し、フラッパ２９にて搬送路を反転搬送路ＰＳ２に切り替えることで原稿Ｄを再度搬送路ＰＳ１内に送り込み、読取走査ユニット５０によって２面目を読み取る。
【００２６】
画像読取部１０は、流し読みと固定読みの何れの読み方であっても、読取走査ユニット５０が原稿に光を照射し、その照射した光の反射光を受光して、原稿を光学的に読み取る。そして、原稿読取部１０は、受光した光を電気信号に変換し、電気信号に基づいて画像データを作成する。
尚、画像読取装置１００は不図示のプリンタ等の画像形成装置と接続可能となっており、原稿のコピーを行う際にはその画像データを画像形成装置に送り、送られた画像データに基づいて記録媒体上に読取画像を形成することが可能となっている。また、不図示のＦＡＸ回線を介して取得した画像データを外部機器へ送信することも可能となっている。
【００２７】
次に、図２を用いて本実施形態における原稿読取部１０の構成について詳しく説明する。
図２は、本実施形態における画像読取部１０の断面図である。
読取走査ユニット５０は、原稿に光を照射するための光源としての照明部材５１ａ，ｂと、光学レンズ５２と、撮像部５３とによって構成され、原稿台ガラス３０において原稿の載置面とは反対面に接するように配置される。
照明部材５１ａ，ｂはそれぞれ、光源としての赤色ＬＥＤ（以下、ＬＥＤ＿Ｒと称す）、緑色ＬＥＤ（以下、ＬＥＤ＿Ｇと称す）、青色ＬＥＤ（以下、ＬＥＤ＿Ｂと称す）の３つを備えた白色タイプの導光管を含み、原稿台ガラス３０に対して所定角度だけ傾斜する方向から原稿に光を照射する。
照明部材５１ａ，ｂから照射されて原稿によって反射された反射光は、光学レンズ５２によって複数の光電変換素子から構成される撮像部５３の所定の結像位置へと導かれる。そして、原稿からの反射光が撮像部５３によって撮像されることで原稿の画像データが等倍で読み取られ、後述する画像記憶部に格納される。
【００２８】
このように構成される読取走査ユニット５０は、駆動ベルト５４に係合され、駆動モータ５５の駆動力が駆動ベルト５４を介して伝達されることでガイド軸５６に沿って矢印Ｈ方向（副走査方向）に移動可能となっている。駆動モータ５５には、ステッピングモータやＤＣモータ等が用いられる。
【００２９】
ここで、原稿台ガラス３０の端部には、出力画像信号の歪みを補正するシェーディング補正を行うための白色基準となる白色基準板６０が設けられている。
【００３０】
原稿画像を読み取る際には、白色基準板６０に照明部材５１ａ，ｂから光を照射し、その反射光からシェーディング補正を行うためのシェーディング補正値を取得する。また、シェーディング補正と同時に照明部材５１ａ，ｂの露光量を一定に保つために光量調整が行われる。照明部材５１ａ，ｂの光量は、主走査方向の１ライン毎に点灯する時間を変化させることで、調整される。
【００３１】
次に、本実施形態における画像読取部１０の制御構成について説明する。
図３は、本実施形態における画像読取部１０の制御構成を示すブロック図である。
【００３２】
ＣＰＵ３００は、画像読取部１０全体の制御をしている。ＲＡＭ３０１は、ＣＰＵ３００の作業領域およびデータの一時記憶領域である。ＲＯＭ３０２は、画像読取部１０を制御するためのファームウェアプログラムや、ファームウェアプログラムを制御するためのブートプログラムが書き込まれ、ＣＰＵ３００によって使用される。
【００３３】
タイミング発生回路３０３は、ＣＰＵ３００の設定に応じて主走査方向１ライン毎のＰＷＭデューティを可変させて、駆動回路３０４に照明部材５１ａ，ｂのＬＥＤ＿Ｒ，ＬＥＤ＿Ｇ，ＬＥＤ＿Ｂの点灯ＯＮ／ＯＦＦの制御信号を送る。
【００３４】
ＬＥＤ駆動回路３０４は、タイミング発生回路３０３から送られてくる点灯ＯＮ／ＯＦＦの制御信号に基づくタイミングで照明部材５１ａ，ｂのＬＥＤ＿Ｒ，ＬＥＤ＿Ｇ，ＬＥＤ＿Ｂをそれぞれ点灯させる。
【００３５】
撮像部５３は、センサ駆動回路３０５に接続され、ＣＰＵ３００によって制御される。
【００３６】
増幅器（ＡＭＰ）３０６は、撮像部５３により出力された電気信号を増幅させ、Ａ／Ｄ変換回路３０７に送る。Ａ／Ｄ変換回路３０７は、増幅器３０６によって増幅された電気信号をＡ／Ｄ変換し、例えば各画素を１６ｂｉｔの輝度値として表現するデジタル画像データを画像処理部３０８に出力する。
画像処理部３０８は、Ａ／Ｄ変換回路３０７によって変換されたデジタル画像データを画像処理し、画像記憶部３０９へ出力する。ここで、画像処理とは、上述したシェーディング補正、読取画像中の異物を補正処理する異物補正等を含む。
【００３７】
画像記憶部３０９は、画像処理部３０７から出力された画像データを記憶し、プリンタ等の画像形成装置や、ＦＡＸ等の外部装置へ読み取った画像データの転送が可能となっている。
モータ３１０は、ＣＰＵ３００に制御されることで画像読取部１０全体の駆動を行う。
【００３８】
次に、図４、図５を用いてシェーディング補正値を取得する際の動作を説明する。
図４は、本実施形態における画像処理部３０７の詳細な構成を示すブロック図である。
図５は、本実施形態におけるシェーディング補正値取得時のタイミングチャートである。（Ａ）がＬＥＤ＿Ｒのシェーディング補正値取得時のタイミングチャート、（Ｂ）がＬＥＤ＿Ｇのシェーディングデータ補正値取得時のタイミングチャート、（Ｃ）がＬＥＤ＿Ｂのシェーディングデータ補正値取得時のタイミングチャートである。
まず、照明部材５１ａ，ｂのＬＥＤ＿Ｒのシェーディング補正値を取得する際の説明をする。
【００３９】
まず、白色基準板６０を読み取った際の輝度データはＡ／Ｄ変換回路２２でＡ／Ｄ変換された後、間引き処理部４０１へ入力される。間引き処理部４０１は、図５（Ａ）に示すように、１ライン毎に順次入力されるＲＥＤ，ＧＲＥＥＮ，ＢＬＵＥの輝度データのうち、ＲＥＤの輝度データのみを加算平均処理部４０２へ転送する。加算平均処理部４０２は、間引き処理部４０１から転送されてくる輝度データを、所定のライン数分加算する。ＳＨＤ設定処理部４０３は、加算平均処理部４０２で加算する所定のライン数や、間引き処理部４０１にて加算平均処理部４０２へ転送する輝度データを設定する。本実施形態では、ＳＨＤ設定処理部４０３は、所定のライン数を１２８ラインとし、間引き処理部４０１にて加算平均処理部４０２へ転送する輝度データをＲＥＤとしている。
【００４０】
加算平均処理部４０２で加算平均されたＲＥＤの輝度値は、平均輝度値としてＳＨＤメモリ４０４へ入力される。その際、ＳＨＤ設定処理部４０３によって設定されたＲＥＤの輝度データを、ＳＨＤメモリ４０４内のＲＥＤに対応した各アドレスへ記憶する。
【００４１】
上記の説明では、例としてＬＥＤ＿Ｒについてのシェーディング補正値を取得する際の説明をしたが、ＬＥＤ＿ＧやＬＥＤ＿Ｂについても同様に、図５（Ｂ）や（Ｃ）に示すように間引き処理部４０１にてＧＲＥＥＮやＢＬＵＥのみを加算平均処理部４０２へ転送し、それぞれ加算平均することで得られる平均輝度値をＳＨＤメモリ４０４の各アドレスへ記憶させる。
【００４２】
次に、原稿を読み取った際の画像処理部３０８の構成について説明する。
【００４３】
原稿台ガラス３０上に載置される原稿や、流し読みガラス４０に給送される原稿を読み取った際、Ａ／Ｄ変換回路３０７でＡ／Ｄ変換された輝度値は、ＳＨＤ補正部４０５に入力される。そして、ＳＨＤ補正部４０５に入力された原稿画像の読取データに基づく輝度値は、ＳＨＤメモリ４０４に記憶された各色の平均輝度値に基づき決定されるＳＨＤ補正係数により１画素毎に輝度値が補正される。
そして、ＳＨＤ補正部４０５にて輝度値が補正された読取データは後段のその他処理部４０６へと転送され、その他処理部４０６にて読み取りデータ中の異物補正処理や下地補正処理異、ＭＴＦ補正処理や色ずれ補正処理等が施される。
【００４４】
以上で説明したように、本実施形態では、シェーディング補正値を取得時に各色の読取データを取り込んでいる場合と原稿画像読取時に各色の読取データを取り込んでいる場合とでＬＥＤの色が異ならないようにＬＥＤを点灯している。このようにすることで、ＬＥＤの点灯／消灯タイミングによる信号の振れが考慮されたシェーディング補正値を作成することが可能となる。そのため、原稿画像の読み取りデータに対して、ＬＥＤの点灯／消灯タイミングによる信号の振れが生じる場合についても、シェーディング補正時に信号の振れの影響を考慮した補正をすることができ、読取画像の劣化を軽減することができる。
【００４５】
次に、本実施形態におけるＣＰＵ３００の制御動作について、説明する。
図６は、本実施形態におけるＣＰＵ３００の制御動作を示すフローチャートである。
ユーザによって画像読取動作開始の指示を受け付けると、ＣＰＵ３００は駆動部３０９を制御して、読取走査ユニット５０を白色基準板６０の下方に移動させ（ステップＳ６０１）、白色基準板を読み取る。（ステップＳ６０２）
次に、ＣＰＵ３００は、ステップＳ６０２で読み取った白色基準板６０の輝度値から、ＡＧＣ処理として照明部材５１ａ，ｂのＬＥＤ＿Ｒ，ＬＥＤ＿Ｇ，ＬＥＤ＿Ｂそれぞれの発光時間を算出し、各色の点灯／消灯タイミングを調整する。（ステップＳ６０３）
そして、ステップＳ６０３にて調整された点灯／消灯タイミングでＬＥＤ＿Ｒ，ＬＥＤ＿Ｇ，ＬＥＤ＿Ｂを点灯させ、各色のシェーディング補正値の取得を行う。（ステップＳ６０４）シェーディング補正値取得時の詳細な動作については、後述する。
【００４６】
次に、ＣＰＵ３００は、ステップＳ６０３にて調整された点灯／消灯タイミングでＬＥＤ＿Ｒ，ＬＥＤ＿Ｇ，ＬＥＤ＿Ｂを順次点灯させて、原稿画像を読み取る。（ステップＳ６０５）このとき、原稿台ガラス３０上に載置された原稿を読み取る場合は、読取走査ユニット５０を駆動部３０９で副走査方向へ移動させながら原稿画像を読み取る。また、原稿給送部２０によって給送される原稿を流し読む場合は、読取走査ユニット５０を流し読みガラス４０の下方の読取位置へ移動させ、給送されてくる原稿画像を読み取る。
【００４７】
次に、ステップＳ６０５で読み取った原稿画像の読み取りデータについて、画像補正処理を行う。（ステップＳ６０６）ここでは、ステップＳ６０４で取得したシェーディング補正値を用いてＳＨＤ補正部４０５にてシェーディング補正を行ったり、その他処理部４０６にて読み取った原稿画像の異物補正処理や、ＭＴＦ補正処理、色ずれ補正処理等を行う。
【００４８】
ステップＳ６０６にて画像補正処理が施された原稿画像の読取データは、画像記憶部３０８に格納され（ステップＳ６０７）、画像読取動作を終了する。
【００４９】
次に、ステップＳ６０４で行うシェーディング補正値を取得する際の動作について、図７を用いて説明する。
図７は、本実施形態におけるＣＰＵ３００の画像処理部３０７に対するの詳細な動作を示すフローチャートである。
【００５０】
ＣＰＵ３００は、ステップＳ６０３にて調整した照明部材５１ａ，ｂのＬＥＤ＿Ｒ，ＬＥＤ＿Ｇ，ＬＥＤ＿Ｂ各色の点灯／消灯タイミングにてＬＥＤ駆動回路３０４が照明部材５１ａ，ｂの各色のＬＥＤを順次点灯させる。（ステップＳ７０１）
ここで、ＬＥＤ駆動回路３０４は、ステップＳ６０５の原稿画像読取時と点灯順序が等しくなるように、ＬＥＤ＿Ｒ，ＬＥＤ＿Ｇ，ＬＥＤ＿Ｂを順次点灯させる。
【００５１】
次に、ＳＨＤ設定処理部４０３にてシェーディング補正値を取得する色を設定する。（ステップＳ７０２）ここでは、Ｒ，Ｇ，Ｂの順番でシェーディング補正値を取得する場合の説明をするため、はじめにＲをシェーディング補正値を取得する色に設定する。
【００５２】
Ｒのシェーディング補正値を取得する場合（ステップＳ７０３のｙｅｓ）、Ａ／Ｄ変換回路３０６に入力された輝度値がＲであるか否かを判定する。（ステップＳ７０４）Ａ／Ｄ変換回路３０６に入力された輝度値がＲである場合（ステップＳ７０４のｙｅｓ）、加算平均処理部４０２内の加算メモリへ加算される。（ステップＳ７０５）
次に、加算平均処理部４０２内の加算メモリに加算されたライン数Ｎが規定数になったか否かを判定する。（ステップＳ７０６）ここでは、規定数を１２８ラインとし、規定数を満たしていない場合（ステップＳ７０６のｎｏ）は、読取走査ユニット５０次のラインへ移動させる。（ステップＳ７０７）
ステップＳ７０４で、Ａ／Ｄ変換回路３０６に入力された輝度値がＲでない場合（ステップＳ７０４のｎｏ）は、間引き処理部４０１にて間引き処理されるため、加算平均処理部４０２内のメモリへは加算されずに、ステップＳ７０７にて読取走査ユニット５０を次のラインへ移動させ、加算されたライン数Ｎが規定数になるまで、Ｒの輝度値を取得する。
【００５３】
加算平均処理部４０２内の加算メモリへ加算されたライン数Ｎが規定数を満たしている場合（ステップＳ７０６のｙｅｓ）は、加算平均処理部４０２にて加算平均処理部４０２内の加算メモリへ加算された輝度値を平均化し、シェーディング補正値を取得する。（ステップＳ７０８）
その後、全色のシェーディング補正値を取得したか否かを判定する。（ステップＳ７０９）
全色のシェーディング補正値を取得した場合（ステップＳ７０９のｙｅｓ）は、シェーディング補正値の取得を終了し、図６のステップＳ６０５へ進む。
全色のシェーディング補正値を取得していない場合（ステップＳ７０９のｎｏ）は、ステップＳ７０２に戻り、ＳＨＤ設定処理部４０３にて前回取得したシェーディング補正値以外の色にシェーディング補正値を取得する色を設定する。
【００５４】
Ｒのシェーディング補正値を取得した後は、ＳＨＤ設定処理部４０３にてシェーディング補正値を取得する色をＧに設定する。
そして、Ｒのシェーディング補正値を取得したときと同様にして、Ｇのシェーディング補正値を取得する。
【００５５】
Ｇのシェーディング補正値を取得する場合（ステップＳ７１１のｙｅｓ）、Ａ／Ｄ変換回路３０６に入力された輝度値がＧであるか否かを判定する。（ステップＳ７１２）Ａ／Ｄ変換回路３０６に入力された輝度値がＧである場合（ステップＳ７１２のｙｅｓ）、加算平均処理部４０２内の加算メモリへ加算される。（ステップＳ７０５）
以降の処理は、Ｒのシェーディング補正値を取得した際と同様のため、同じステップ番号を付して説明を省略する。
【００５６】
そして、ＲおよびＧのシェーディング補正値を取得した後は、ＳＨＤ設定処理部４０３にてシェーディング補正値を取得する色をＢに設定する。
【００５７】
Ｂのシェーディング補正値を取得する場合（ステップＳ７１１のｎｏ）、Ａ／Ｄ変換回路３０６に入力された輝度値がＢであるか否かを判定する。（ステップＳ７１３）Ａ／Ｄ変換回路３０６に入力された輝度値がＢである場合（ステップＳ７１３のｙｅｓ）、加算平均処理部４０２内の加算メモリへ加算される。（ステップＳ７０５）
以降の処理は、ＲおよびＧのシェーディング補正値を取得した際と同様のため、同じステップ番号を付して説明を省略する。
【００５８】
ここでは、Ｒ，Ｇ，Ｂの順にシェーディング補正値を取得したが、原稿画像を読み取る際とシェーディング補正値を取得する際とでＬＥＤ＿Ｒ，ＬＥＤ＿Ｇ，ＬＥＤ＿Ｂの点灯順序が等しくなるのであれば、この順序に限らなくとも良い。
【００５９】
以上で説明したように、本実施形態では原稿読取時とシェーディング補正値取得時とで照明部材５１ａ，ｂのＬＥＤ＿Ｒ，ＬＥＤ＿Ｇ，ＬＥＤ＿Ｂの点灯順番を等しくしたことで、ＬＥＤの点灯／消灯タイミングによる信号の振れが考慮されたシェーディング補正値を取得することができる。よって、照明部材５１ａ，ｂの点灯／消灯によって読取データ上にムラやスジが生じることを防ぐことができ、読取画像が劣化することを軽減することができる。
【符号の説明】
【００６０】
５０・・・読取走査ユニット
５１・・・照明部材
５４・・・ラインセンサ
９００・・・ＣＰＵ
９０３・・・ＬＥＤドライバ回路
９０４・・・センサ駆動回路
９０６・・・画像処理部
９０８・・・駆動部
【図１】
2016092655.tif 000003
【図２】
2016092655.tif 000004
【図３】
2016092655.tif 000005
【図４】
2016092655.tif 000006
【図５】
2016092655.tif 000007
【図６】
2016092655.tif 000008
【図７】
2016092655.tif 000009
【図８】
2016092655.tif 000010